(57)【要約】【課題】              薄型ディスプレイに好適なディスプレイの支持装置を提供する。【解決手段】  ディスプレイ支持装置は、ディスプレイホルダ上に、左右１対の俯仰角調整機構１０を備える。俯仰角調整機構１０は、ディスプレイ装置の上下方向に延びた取付金具１６と、ディスプレイ装置の背面から突き出したレバー部１５とからなるアーム部材を備えている。また、俯仰角調整機構１０は、ブラケット部材１４を備え、レバー部１５のディスプレイ装置側の端を軸支している。また、ブラケット部材１４は、スライダー１３を収容している。スライダーは、レバー部１５に当接し、取付金具１６の俯仰動作に応じてブラケット部材１４内を摺動する。俯仰角調整機構１０は、圧縮ばね１２を備え、ディスプレイ装置の自重を相殺する方向にスライダー１３を押圧するよう構成されている。【選択図】            図２
2006119296.tif 000002
【特許請求の範囲】
【請求項１】
ディスプレイ装置を載置するためのベース板と、前記ベース板上に立設される支持柱と、前記支持柱上に固着されるディスプレイホルダと、を備えるディスプレイ支持装置において、
前記ディスプレイホルダは、少なくとも左右１対の俯仰角調整機構を備え、
前記俯仰角調整機構は、
ディスプレイ装置の上下方向に延びた背面取付部と、ディスプレイ装置の背面から突き出した槓桿部とからなるアーム部材と、
前記槓桿部のディスプレイ装置側の端を軸支するブラケット部材と、
前記槓桿部に当接し、前記背面取付部の俯仰動作に応じて前記ブラケット部材内を摺動する摺動部材と、
前記ディスプレイ装置の自重を相殺する方向に前記摺動部材を押圧する弾性部材と、
を備えること、を特徴とするディスプレイ支持装置。
【請求項２】
請求項１に記載のディスプレイ支持装置において、更に、
前記ベース板と支持柱の間に摩擦プレートを配設するとともに、
前記支持柱の内部に、ディスプレイ装置の水平旋回軸をなす主軸を、所定長に亘って受け入れる主軸支持構造を、内設したこと、
を特徴とするディスプレイの支持装置。
【請求項３】
請求項１又は２に記載のディスプレイ支持装置において、
前記ブラケット部材は、前記摺動部材の形状に適合する軌道構造を有し、
前記摺動部材は、軌道構造の延在方向に沿って摺動すること、
を特徴とするディスプレイの支持装置。
【請求項４】
請求項１ないし３いずれか一に記載のディスプレイ支持装置において、
前記摺動部材は、内部に円筒状空間を有し、
前記弾性部材として、前記円筒状空間の底部と、前記ブラケット部材に固着されるストッパー部材との間に配設するばね部材を有すること、
を特徴とするディスプレイの支持装置。
【請求項５】
請求項４に記載のディスプレイ支持装置において、
前記ブラケット部材は、対向する壁部と、該壁部にそれぞれ凸字状の孔を有し、
ストッパー部材は、両端にそれぞれ略Ｔ字状の繋止端を有し、
前記ばね部材を押縮した状態で前記Ｔ字状の掛止端をそれぞれ前記凸字状の孔の広幅部に挿入した後、前記ばね部材を解放することにより、前記Ｔ字状の掛止端が前記凸字状の孔の狭幅部にロックされるように構成したこと、
を特徴とするディスプレイの支持装置。
【発明の詳細な説明】
【技術分野】
【０００１】
本発明は、ディスプレイの支持装置に関し、特に、台上に載置乃至据え付ける形式のディスプレイの支持装置に関する。
【背景技術】
【０００２】
従来のＣＲＴディスプレイに加えて、薄型の液晶ディスプレイ（Liquid Crystal Display；LCD）やプラズマディスプレイパネル（Plasma  Display  Panel；PDP）が広く普及しつつあり、これらディスプレイの省スペース性を生かしつつ、パネル面の向き（水平角・俯仰角）の変更ができるようにした支持装置が各種提案されている。例えば、特開平８−３１４３８６号公報には、薄型ディスプレイ用のディスプレイスタンドの一例が開示されている。このディスプレイスタンドは、支持アームの上端にはディスプレイ背面の水平揺動軸を挿入する軸受穴が形成され、弾性摩擦部材による所定の摩擦力の下で画面の仰角を調整することが可能となっている。また、その支持アーム下端には、回転部と、台座との間に弾性摩擦部材を配置し、該弾性摩擦部材を加圧挟持する制動部材を備えたロックレバーを設けてなっており、ロックレバーを操作することによって、弾性摩擦部材を解放し、左右方向の回転角を調整することが可能となっている。
【０００３】
また、ディスプレイ画面の向きを変える際の操作の軽快性を重視した支持装置も各種提案されている。例えば、特開２００１−１３４２００号公報には、ベース部のヒンジにコイルバネを仕込み、ディスプレイパネル及びアームの重量によるトルクと反対のトルクを与えるようにして、ディスプレイパネルの傾動操作を軽快に行うことのできるフラットパネルディスプレイ装置が紹介されている。
【０００４】
【特許文献１】特開平８−３１４３８６号公報
【特許文献２】特開２００１−１３４２００号公報
【発明の開示】
【発明が解決しようとする課題】
【０００５】
しかしながら、大型の液晶ディスプレイやプラズマディスプレイとなると、パネル自体、相当の重量を有する上、形状も横長となるため、装置自体が大重量かつ不安定となりやすい。そして、これらを支持する支持装置に、上記したディスプレイのパネル面の向き（水平角・俯仰角）の調整機構を搭載する場合には更なる配慮が要請される。例えば、画面の向きを調整する際に画面端部に加えられた力は、支持スタンド等の各部においては倍加されて作用するため、これらの支持装置の可動部は、誤って力がかけられた場合にも破壊・変形しない程度の強度を持たせることが必要となる。その一方で、その省スペース性を損なわないようなサイズに抑えることや、ディスプレイのパネル面の向き（水平角・俯仰角）の調整操作の軽快性も重要であり、かつ、静止時には安定して姿勢を維持できるようにしなければならない。更には、美観を損なわないような形状を取りうる構造であることも求められている。
【０００６】
本発明は、上記した各事情に鑑みてなされたものであって、その目的とするところは、装置自体を大型化せずとも十分な強度を得ることが可能であり、併せて、画面の向きを軽快に変更可能とするディスプレイの支持装置を提供することにある。
【課題を解決するための手段】
【０００７】
本発明の第１の視点によれば、本発明は、ディスプレイ装置を載置するためのベース板と、前記ベース板上に立設される支持柱と、支持柱上に固着されるディスプレイホルダと、を備える構造であって、前記ディスプレイホルダが、少なくとも左右１対の俯仰角調整機構を備えるディスプレイ支持装置に適用される。そして、前記俯仰角調整機構は、ディスプレイ装置の上下方向に延びた背面取付部と、ディスプレイ装置の背面から突き出した槓桿部とからなるアーム部材を備えている。また、前記俯仰角調整機構は、ブラケット部材を備え、前記槓桿部のディスプレイ装置側の端を軸支している。また、ブラケット部材は、摺動部材を収容している。摺動部材は、前記槓桿部に当接し、前記背面取付部の俯仰動作に応じて前記ブラケット部材内を摺動する。そして、前記俯仰角調整機構は、弾性部材を備え、前記ディスプレイ装置の自重を相殺する方向に前記摺動部材を押圧するよう構成されている。
【発明の効果】
【０００８】
従って、本発明によれば、俯仰動作を容易に行うことが可能となる。その理由は、摺動部材を介してアーム部材の槓桿部に逆方向の力を加え、ディスプレイの自重によるトルクを軽減するよう構成したことにある。
【発明を実施するための最良の形態】
【０００９】
続いて、本発明の好適な実施の形態について説明する。本発明は、その好ましい形態において、ディスプレイ装置（図１の１００）を載置するためのベース板（図１の５０、６０）と、ベース板（図１の６０）上に立設される支持柱（図１の４０）と、支持柱（図１の４０）上に固着されるディスプレイホルダ部（図１の１０、３０）とから構成される。ディスプレイホルダ（図１の３０）は、左右１対の俯仰角調整機構（図１の１０）を備えている。
【００１０】
俯仰角調整機構（図２の１０）は、背面取付部（図２の１６）と、背面取付部（図２の１６）に直交するよう取り付けられるレバー部（図２の１５）とからなるアーム部材と、ディスプレイホルダの基板（図１の３０）上に取り付けられるブラケット部材（図２の１４）と、ブラケット部材（図２の１４）に収納されてブラケット部材（図２の１４）内を上下に摺動する摺動部材（図２の１３）と、摺動部材（図２の１３）とストッパー部材（図２の１１）との間に配置され、摺動部材（図２の１３）を下方に押し付けるばね部材（図２の１２）とを備えている。
【００１１】
ブラケット部材（図２の１４）は、ディスプレイ装置背面側に延びた腕状部分によって、アーム部材のレバー部（図２の１５）の根元部分を軸支している。また、レバー部（図２の１５）の一端は、摺動部材（図２の１３）に当接しており、前記背面取付部の俯仰させると、摺動部材が摺動するようになっている。
【００１２】
ばね部材（図２の１２）が摺動部材（図２の１３）を下方に押し付けている結果、レバー部（図２の１５）の根元部分を支点として働くディスプレイの自重によるトルクは減殺されており、軽い力でディスプレイ面を俯仰させ、また、制止させることが可能となっている。
【実施例】
【００１３】
続いて、本発明の一実施例について、図面を参照して詳細に説明する。図１は、本発明の一実施例に係る薄型ディスプレイの支持装置の背面図である。図２は、本実施例のディスプレイ支持装置の左側面図である。図１を参照すると、本実施例の薄型ディスプレイの支持装置は、大きく分けて、ディスプレイホルダ３０と、支柱４０と、ベースプレートＡ５０と、ベースプレートＢ６０と、から構成される。ディスプレイホルダ３０は、扁平な台形等の平面形状を有する部材であって、ディスプレイ装置１００の重みに耐えられるよう適宜曲げ加工が施されている。本実施例の薄型ディスプレイの支持装置は、このようなディスプレイホルダ３０に固着された左右２箇所の俯仰角調整機構１０によって薄型ディスプレイ１００を支持している。
【００１４】
始めに、本実施例に係るディスプレイ支持装置の俯仰角調整機構について説明する。図２、図３、図４は、それぞれ本実施例の俯仰角調整機構１０の側面図と、ブラケット部材部分の背面図、及び、平面図である。俯仰角調整機構１０は、大きく分けて、レバー部１５と取付金具１６とからなるアーム部材と、ブラケット部材１４とから構成されている。
【００１５】
取付金具１６は、薄型ディスプレイ装置に接合する面及び上下方向に延在する側壁を有する長板であって、上方から見て略コの字状に形成されている。また、この側壁下端には、シャフト１８の挿入孔が設けられている（図２参照）。また、取付金具１６の上記接合する面は、上薄型ディスプレイ背面のねじ孔に対応する位置に孔を有し、薄型ディスプレイの所定の位置に取り付け可能となっている（図１参照）。
【００１６】
レバー部１５は、各端部近辺にそれぞれシャフト１７、１８用の貫通孔を有し、薄型ディスプレイの正面側から皿ねじによって取付金具１６に固着され、取付金具１６とにより略Ｌ字状のアーム部材を構成している。
【００１７】
ブラケット部材１４は、ディスプレイホルダ３０に固着するためのねじ孔が設けられた底部と、この底部から延びる側壁部を左右に有し、側壁部下方は、アーム部材側に突出した形状となっている。各側壁部の上方には、ストッパー部材１１を掛止するための略凸字状の掛止孔が設けられ、また、後述するスライダー１３の下端に対応する位置には、レバー部１５を貫通するシャフト１７のガイド孔が設けられている。側壁部下方のアーム部材側に突出した部分の先端には円孔が設けられ、アーム部材及びブラケット部材１４に、シャフト１８を挿入して、アーム部材を軸支可能となっている。
【００１８】
また、ブラケット部材１４は、スライダー１３を収容しており、スライダー１３に設けられたガイド溝１３ｃに対応する軌条（軌道構造）１４ａが設けられている（図４参照）。
【００１９】
スライダー１３は、図２、図３に示されたとおり、円筒状の中空空間１３ａを有しており、薄型ディスプレイの重量に応じて選択される圧縮ばね１２を収容している。また、スライダー１３の底部は、シャフト１７の移動方向に対して、おおよそ正対する角度をなすような面を有する突起１３ｂをもった形状となっている。
【００２０】
圧縮ばね１２は、圧縮ばね１２を押縮した状態で、ストッパー部材１１を、ブラケット部材１４の凸字状の孔の広幅部に挿入した後、圧縮ばね１２を解放することにより、ブラケット部材１４に組み付けられる。また、図４に示された通り、ストッパー部材１１は、Ｔ字状の掛止端を有しており、圧縮ばね１２を解放した状態では、ブラケット部材１４の凸字状の孔の狭幅部にロックされ、また、圧縮ばね１２によってスライダー１３が下方に押し付けられるようになっている。
【００２１】
以上のように、アーム部材の取付金具１６を俯仰すると、シャフト１８を支点にして、レバー部１５が回動し、レバー部１５先端付近に取り付けられたシャフト１７を介して、スライダー１３が上下に移動する。また、圧縮ばね１２が、スライダー１３を下方に押し付けているため、薄型ディスプレイの自重によるトルクが相殺され、より小さい力で薄型ディスプレイ面を俯仰することが可能となっている。
【００２２】
続いて、本実施例に係るディスプレイ支持装置の旋回機構について説明する。図５は、本実施例の支柱の断面図である。支柱４０の底部には、ねじ孔が設けられたベースプレートＡ５０が装着されており、図１に例示したベースプレートＢ６０を装着した状態、或いは、机上・台上等に埋設された基礎ナット等に直接螺子止めして、机上・台上等に設置することができるようになっている。また、支柱４０の上端には、ディスプレイホルダ３０をねじ止めするための孔が設けられている。
【００２３】
支柱４０は、その内部に、略円筒形で所定の肉厚の軸支持構造４０８を備えている。
この軸支持構造４０８に、下方からフランジ部を有する水平回転軸４０９を挿入し、大径の摩擦プレート４０５、４０６を挿嵌し、ベースプレートＡ５０の回転規制孔に支柱４０のボス４０７を嵌めた状態でカシメられる。また、水平回転軸４０９の先端側も、摩擦プレート４０４、４０３、スプリングワッシャ４０２、押えワッシャ４０１を挿嵌して、カシメられる。図５からも明らかなとおり、軸支持構造４０８は、水平回転軸４０９のほぼ全長にわたる程度に、十分な高さを有しており、水平回転軸の左右方向の揺動のみならず、前後及び斜め方向の揺動も確実に抑止可能な構成となっている。
【００２４】
図６は、本実施例に係るディスプレイの支持装置の水平回転可能範囲を説明するための平面図である。図６を参照すると、支柱４０の回転規制孔が設けられた範囲で、ディスプレイ面を左右に回動することが可能となっている。
【００２５】
以上の構成からなるディスプレイの支持装置は、初期状態（図１、図２参照）にあるパネル面を、俯仰・回転自在となっている。特に俯仰させる場面においては、２つの俯仰角調整機構１０によってディスプレイの重量によるトルクが相殺されているため、軽快に角度変更操作と制止を行うことができる。また、上記したとおり、旋回機構にも、スプリングワッシャによって摩擦部材（ワッシャ、プレート）に適当な圧着荷重が与えられているため、旋回動作も容易となっている。
【００２６】
以上の本実施例に係るディスプレイの支持装置は、パネル面の向き（水平角・俯仰角）の調整が容易であることに加えて、上部構造のあおり動作や無理な荷重が掛けられること等に対する強度も十分なものとなっている。その理由は、俯仰回転軸にトーションスプリングを備えたものでなく、上述した構成の俯仰角調整機構１０を備えたこと、そして、図５に表れたとおり、その支柱４０内部に、十分な長さの軸支持構造４０８を備えたことにある。
【００２７】
以上、本発明の一実施例を説明したが、本発明の技術的範囲は、本実施例に限定されるものではなく、専ら特許請求の範囲の記載によって確定されるべきものである。例えば、本発明に係るディスプレイの支持装置は、既存の小型の液晶ディスプレイ用の支持装置と同様の製品フォルムを採ることが可能となり、俯仰角調整機構１０、ディスプレイホルダ、支柱４０、ベースプレートＡ、Ｂとして各種形状を採用することができる。例として、支柱４０についていえば、図１、図５に示したものに限られず、角形のものや、脚状のもの等その他の形状を採用することが可能である。この場合、軸支持構造の高さは、支柱の高さに応じて適宜変更することができ、必ずしも支柱４０の全高と同程度である必要は無い。
【００２８】
また、上記した実施例においては、コイル式の圧縮ばねを用いるものとしているが、その原理からも明らかなとおり、空気式ばね等、その他の弾性部材を用いることが可能である。
【図面の簡単な説明】
【００２９】
【図１】本発明の一実施例に係る薄型ディスプレイの支持装置の背面図である。
【図２】本発明の一実施例に係る薄型ディスプレイの支持装置の俯仰角調整機構の側面図である。
【図３】本発明の一実施例に係る薄型ディスプレイの支持装置の俯仰角調整機構の拡大背面図である。
【図４】本発明の一実施例に係る薄型ディスプレイの支持装置の俯仰角調整機構の平面図である。
【図５】本発明の一実施例に係る薄型ディスプレイの支持装置の支柱の断面図である。
【図６】本発明の一実施例に係る薄型ディスプレイの支持装置の旋回機構を説明するための図である。
【符号の説明】
【００３０】
１０  俯仰角調整機構
１１  ストッパー部材
１２  圧縮ばね
１３  スライダー（摺動部材）
１３ａ  中空空間（円筒状空間）
１３ｂ  突起
１３ｃ  ガイド溝
１４  ブラケット部材
１４ａ  軌条（軌道構造）
１５  レバー部
１６  取付金具
１７、１８  シャフト
３０  ディスプレイホルダ
４０  支柱
５０  ベースプレートＡ
６０  ベースプレートＢ
１００  薄型ディスプレイ
４０１  押えワッシャ
４０２  スプリングワッシャ
４０３、４０４、４０５、４０６  摩擦プレート
４０７  ボス
４０８  軸支持構造
４０９  水平回転軸
【図１】
2006119296.tif 000003
【図２】
2006119296.tif 000004
【図３】
2006119296.tif 000005
【図４】
2006119296.tif 000006
【図５】
2006119296.tif 000007
【図６】
2006119296.tif 000008